(57)【要約】【課題】アース板に形成された接触片の変形を防止するとともに、シャフトピンのアースを良好に維持する感光体ドラム用フランジを提供することを目的とする。【解決手段】ドラムユニット２２は、ドラム本体３１と、当該ドラム本体３１の長手方向の両端部において装着される２つのフランジ部材３２と、フランジ部材３２の内面に取り付けられたアース板４０から構成されている。フランジ部材３２には、シャフトピン２３がフランジ部材３２に挿通される際に、アース板４０に設けられた接触片４６、４７を保護する保護部材６１が設けられている。従って、シャフトピン２３をフランジ部材３２に挿通する際に、シャフトピン２３により、接触片４６、４７が変形するのを防止することができる。その結果、接触片４６、４７とシャフトピン２３の接触不良を回避できるとともに、シャフトピン２３のアースを良好に維持することが可能になる。【選択図】  図２
2006154095.tif 000002
【特許請求の範囲】
【請求項１】
円筒状基体上に感光層を有する感光体ドラムの両端に圧入されるとともに、導電性のシャフトピンが挿通されることにより、前記シャフトピンに支持される感光体ドラム用フランジにおいて、
前記感光体ドラム用フランジが前記シャフトピンに支持される際に前記シャフトピンと接触する接触片が設けられたアース部材が取り付けられるとともに、前記シャフトピンが前記感光体ドラム用フランジに挿通される際に、前記接触片を保護する保護部材を備えることを特徴とする感光体ドラム用フランジ。
【請求項２】
前記保護部材は、前記シャフトピンが前記感光体ドラム用フランジに挿通される際に、前記接触片を前記シャフトピンから退避させるための退避部材を備えることを特徴とする請求項１に記載の感光体ドラム用フランジ。
【請求項３】
前記シャフトピンが前記感光体ドラム用フランジに挿通される際に、前記退避部材が前記シャフトピンの外周面と当接することにより、前記保護部材と前記保護部材に係止された前記接触片の各々が、前記シャフトピンから退避することを特徴とする請求項２に記載の感光体ドラム用フランジ。
【請求項４】
前記シャフトピンには、前記退避部材を係止するための係止溝が設けられており、前記退避部材が前記係止溝に係止されることにより、前記シャフトピンに対する前記保護部材と前記接触片の各々の退避状態が解除されるとともに、前記接触片が前記シャフトピンと接触することにより、前記アース部材と前記シャフトピンが電気的に接続されることを特徴とする請求項３に記載の感光体ドラム用フランジ。
【発明の詳細な説明】
【技術分野】
【０００１】
本発明は、複写機、プリンタ装置、ファクシミリ装置等の画像形成装置に用いられる感光体ドラム用フランジに関する。
【背景技術】
【０００２】
一般に、電子写真方式を用いた複写機、プリンタ装置、ファクシミリ装置等の画像形成装置においては、帯電装置により像担持体である感光体ドラムの表面が一様に帯電させられた後、画像読取部によって読み取られた画像に基づく光が、露光装置により感光体の表面に照射されて、その画像の静電潜像が形成され、その後、現像装置によりその静電潜像にトナーを付着させトナー像が形成される。
【０００３】
ここで、画像形成装置に設けられるドラムユニットは、一般に、ドラム本体と、ドラム本体の長手方向の両端部において装着される２つのフランジ部材と、フランジ部材の内面に取り付けられたアース板から構成されている。ドラム本体の外周面には感光層が形成されており、その長手方向の両端部には開口部が形成されている。そして、アース板を取り付けたフランジ部材が、ドラム本体の開口部に圧入されることにより、フランジ部材がドラム本体に装着される。この際、アース板に形成された爪部材により、ドラム本体の内周面の酸化絶縁膜が剥離されるとともに、当該爪部材がドラム本体の開口部と当接することにより、アース板とドラム本体の電気的導通が図られる構成となっている。また、フランジ部材には、装置本体に設けられたシャフトピンが嵌合される取付孔が形成されており、当該フランジ部材がドラム本体に装着された後、取付孔にシャフトピンが嵌合される。この際、アース板に形成された接触片が、シャフトピンと当接することにより、アース板とシャフトピンの電気的導通が図られる構成となっている（例えば、特許文献１参照）。
【特許文献１】特開平１０−３１９７８３号公報
【発明の開示】
【発明が解決しようとする課題】
【０００４】
しかし、上記従来のドラムユニットにおいては、上記接触片がアース板の表面上に露出して設けられている。従って、ドラム本体に装着されたフランジ部材の取付孔にシャフトピンを嵌合する際に、当該シャフトピンにより、アース板に形成された接触片が変形する場合がある。その結果、接触片とシャフトピンの接触不良が生じ、シャフトピンのアースを良好に維持することができないおそれがある。
【０００５】
そこで、本発明は、上述の問題に鑑みてなされたものであり、アース板に形成された接触片の変形を防止するとともに、シャフトピンのアースを良好に維持する感光体ドラム用フランジを提供することを目的とする。
【課題を解決するための手段】
【０００６】
上記の目的を達成するために、請求項１に記載の発明では、円筒状基体上に感光層を有する感光体ドラムの両端に圧入されるとともに、導電性のシャフトピンが挿通されることにより、シャフトピンに支持される感光体ドラム用フランジにおいて、感光体ドラム用フランジがシャフトピンに支持される際にシャフトピンと接触する接触片が設けられたアース部材が取り付けられるとともに、シャフトピンが感光体ドラム用フランジに挿通される際に、接触片を保護する保護部材を備えることを特徴とする。
【０００７】
請求項１に記載の発明によれば、シャフトピンを感光体ドラム用フランジに挿通する際に、シャフトピンにより、接触片が変形するのを防止することができる。従って、接触片とシャフトピンの接触不良を回避できるとともに、シャフトピンのアースを良好に維持することが可能になる。
【０００８】
請求項２に記載の発明では、請求項１に記載の感光体ドラム用フランジにおいて、保護部材は、シャフトピンが感光体ドラム用フランジに挿通される際に、接触片をシャフトピンから退避させるための退避部材を備えることを特徴とする。
【０００９】
請求項２に記載の発明によれば、簡単な構成で、シャフトピンを感光体用フランジに挿通する際に、シャフトピンにより、接触片が変形するのを確実に防止すること可能になる。
【００１０】
請求項３に記載の発明では、請求項２に記載の感光体ドラム用フランジにおいて、シャフトピンが感光体ドラム用フランジに挿通される際に、退避部材がシャフトピンの外周面と当接することにより、保護部材と保護部材に係止された接触片の各々が、シャフトピンから退避することを特徴とする。
【００１１】
請求項３に記載の発明によれば、簡単な構成で、シャフトピンを感光体用フランジに挿通する際に、シャフトピンにより、接触片が変形するのを確実に防止すること可能になる。
【００１２】
請求項４に記載の発明では、請求項３に記載の感光体用フランジにおいて、シャフトピンには、退避部材を係止するための係止溝が設けられており、退避部材が係止溝に係止されることにより、シャフトピンに対する保護部材と接触片の各々の退避状態が解除されるとともに、接触片がシャフトピンと接触することにより、アース部材とシャフトピンが電気的に接続されることを特徴とする。
【００１３】
請求項４に記載の発明によれば、簡単な構成で、アース部材とシャフトピンを電気的に接続させることが可能になり、結果として、シャフトピンのアースを確実に維持することが可能になる。
【発明の効果】
【００１４】
本発明によれば、接触片とシャフトピンの接触不良を回避できるとともに、シャフトピンのアースを良好に維持することが可能になる。
【発明を実施するための最良の形態】
【００１５】
以下に、本発明の具体的な実施形態について図面を参照しながら説明する。図１は、本発明の実施形態に係る画像形成装置の全体構成を示す概略図である。図１に示す様に、この画像形成装置１は、複写機であり、装置本体１ａの下部に配設された給紙部２と、この給紙部２の側方及び上方に配設された用紙搬送部３と、この用紙搬送部３の上方に配設された画像形成部４と、この画像形成部４よりも排出側に配設された定着部５と、これらの画像形成部４、及び定着部５の上方に配設された画像読取部６を備えている。
【００１６】
給紙部２は、用紙９が収容された複数（本実施形態においては４つ）の給紙カセット７ａ〜７ｄを備えており、給紙ローラ（又は、ピックアップローラ）８の回転動作により、当該複数の給紙カセット７ａ〜７ｄのうち選択されたものから用紙９が用紙搬送部３側に送り出され、用紙９が１枚ずつ確実に用紙搬送部３に給紙されるように構成されている。尚、上記複数の給紙カセット７ａ〜７ｄには、大容量の用紙９を積載収容可能な大容量の給紙カセット７ｃ、７ｄが含まれている。又、図１に示す様に、これらの給紙カセット７ａ〜７ｄのうち、給紙カセット７ａ、７ｂは、略垂直方向に並設されており、給紙カセット７ｃ、７ｄは、略水平方向に並設されている。
【００１７】
用紙搬送部３に給紙された用紙９は、用紙供給経路１０を経由して画像形成部４に向けて搬送される。この画像形成部４は、電子写真プロセスによって、用紙９に所定のトナー像を形成するものであり、所定の方向（図中の矢印方向）に回転可能に軸支された像端持体である感光体ドラム１１と、この感光体ドラム１１の周囲にその回転方向に沿って、帯電装置１２、露光装置１３、現像装置１４、転写装置１５、クリーニング装置１６、及び除電装置１７を備えている。
【００１８】
帯電装置１２は、高電圧が印加される帯電ワイヤを備えており、この帯電ワイヤからのコロナ放電によって感光体ドラム１１の表面に所定電位を与えることにより、感光体ドラム１１の表面が一様に帯電させられる。そして、露光装置１３により、画像読取部６によって読み取られた原稿の画像データに基づく光が、感光体ドラム１１に照射されることにより、感光体ドラム１１の表面電位が選択的に減衰されて、この感光体ドラム１１の表面に静電潜像が形成される。次いで、現像装置１４により、上記静電潜像にトナーが付着し、感光体ドラム１１の表面にトナー像が形成され、転写装置１５により、感光体ドラム１１の表面のトナー像が、感光体ドラム１１と転写装置１５との間に供給された用紙９に転写される。
【００１９】
トナー像が転写された用紙９は、画像形成部４から定着部５に向けて搬送される。この定着部５は、画像形成部４の用紙搬送方向の下流側に配置されており、画像形成部４においてトナー像が転写された用紙９は、定着部５に設けられた加熱ローラ１８、及び当該加熱ローラ１８に押し付けられる加圧ローラ１９によって挟まれるとともに加熱され、用紙９上にトナー像が定着される。次いで、画像形成部４から定着部５において画像形成がなされた用紙９は、排出ローラ対２０によって排出トレイ２１上に排出される。一方、上記転写後、感光体ドラム１１の表面に残留しているトナーは、クリーニング装置１６により除去され、感光体ドラム１１の表面の残留電荷は、除電装置１７により除去される。そして、感光体ドラム１１は帯電装置１２によって再び帯電され、以下同様にして画像形成が行われることになる。
【００２０】
本実施形態のドラムユニットについて、図面を参照しながら説明する。図２は、本発明の実施形態に係るドラムユニットの概略構成を説明するための斜視図である。また、図３は、本発明の実施形態に係るドラムユニットにおけるフランジ部材の構成を説明するための正面図であり、図４は、図３のＡ−Ａ断面図である。また、図５は、本発明の実施形態に係るドラムユニットにおけるアース板の構成を説明するための正面図であり、図６は、図５の側面図である。
【００２１】
図２に示す様に、本実施形態のドラムユニット２２は、ドラム本体３１と、当該ドラム本体３１の長手方向の両端部において装着される２つのフランジ部材３２と、フランジ部材３２の内面に取り付けられた板状のアース部材（以下、「アース板」という。）４０から構成されている。
【００２２】
ドラム本体３１は、導電性金属を円筒状に構成したものであり、感光体ドラム１１としては、例えば、アルミニウム基体からなるドラム本体３１の外周面上に有機感光体（ＯＰＣ）の感光層が形成されたものが使用される。また、ドラム本体３１の両端部には、開口部３３が形成されており、当該開口部３３の開口端には、所定長さで肉厚の薄いフランジ嵌合部３４が形成されている。
【００２３】
フランジ部材３２は、図３、図４に示す様に、ＰＯＭ、ＡＤＣなどの樹脂により略円板形状に構成されており、外径がドラム本体３１のフランジ嵌合部３４の内径と略同一に構成されている。フランジ部材３２の内面側には、アース板取り付け用の突起３６が複数個突設されている。
【００２４】
また、フランジ部材３２の中央に突設された突起３７には、ドラムユニット２２を支持するために装置本体１ａに設けられた導電性のシャフトピン２３に嵌合する支持孔３５が穿設されている。さらに、フランジ部材３２の外周面は、ドラム本体３１のフランジ嵌合部３４に挿入される当接部３８を構成しており、内面側は後述するアース板４０の凹部４５に対応して面取りされた面取部３９が形成されている。そして、当該フランジ部材３２は、ドラム本体３１の両端部に形成された開口部３３に圧入されるとともに、シャフトピン２３が挿通されることにより、当該シャフトピン２３に支持される構成となっている。
【００２５】
フランジ部材３２の内面６０には、ステンレス鋼で構成されるアース板４０が取り付けられる。このアース板４０は、ドラム本体３１のフランジ嵌合部３４の内径よりも小さな外径を有する板状基材４１を有している。また、アース板４０には、フランジ部材３２の突起３６、３７に対応して取付孔４２及び貫通孔４３が設けられている。
【００２６】
また、アース板４０には、板状基材４１の外周より先端が突出する様に設けられた爪部材４４が複数個設けられている。この爪部材４４は、ドラム本体３１のフランジ嵌合部３４の内径より外側に先端が位置するように構成され、当該爪部材４４の両側に設けられた凹部４５により弾性変形可能となるように構成されている。
【００２７】
アース板４０の板状基材４１には、当該板状基材４１における、フランジ部材３２への取付面５２と反対側において、２つの接触片４６、４７が設けられている。この接触片４６、４７が、フランジ部材３２がシャフトピン２３に支持される際に、当該シャフトピン２３と接触することにより、アース板４０とシャフトピン２３が電気的に接続される構成となっている。
【００２８】
より具体的には、当該接触片４６、４７は、折曲部４８、５０によって、アース板４０の外周部から内方に折曲された状態で設けられている。また、当該接触片４６、４７の先端部には、さらに外側に向けて折曲された接触部４９、５１が設けられている。また、この接触部４９、５１の内周面間の距離は、フランジ部材３２が支持されるシャフトピン２３の径よりやや短く設定されている。そして、シャフトピン２３が支持孔３５に嵌合され、フランジ部材３２がシャフトピン２３に支持された時に、接触部４９、５１がシャフトピン２３の外周面を圧接することにより、アース板４０とシャフトピン２３が電気的に接続される構成となっている。
【００２９】
ここで、本実施形態においては、図２〜図４に示す様に、フランジ部材３２には、シャフトピン２３がフランジ部材３２に挿通される際に、アース板４０に設けられた接触片４６、４７を保護する保護部材６１が設けられている点に特徴がある。この保護部材６１は、支持孔３５の周縁に設けられた突起３７において、フランジ部材３２の内面６０側から突設されており、アース板４０の接触片４６、４７のうち、接触部４９、５１のみをアース板４０の内方へ露出するための孔部６２が形成されている。即ち、シャフトピン２３を挿通する際に、アース板４０の接触片４６、４７のうち、上記接触部４９、５１以外の部分は、保護部材６１により、シャフトピン２３と接触しない構成となっている。また、当該保護部材６１には、シャフトピン２３を挿通する際に、当該シャフトピン２３と当接する突起部６３が設けられている。この突起部６３は、後述のごとく、シャフトピン２３を挿通する際に、接触片４６、４７を当該シャフトピン２３から退避させる退避部材として使用されるものである。
【００３０】
また、本実施形態においては、シャフトピン２３をフランジ部材３２に挿通する際に、当該シャフトピン２３をフランジ部材３２に対してロックし、位置決めするためのロック機構を採用している。このロック機構は、後述の図７に示す様に、上述の突起部６３と、シャフトピン２３に設けられた係止溝２４とから構成されている。そして、シャフトピン２３をフランジ部材３２内に押し込んでゆくと、突起部６３が係止溝２４に引っ掛かることにより、突起部６３が係止溝２４に係止され、その結果、シャフトピン２３が所定の位置にロックされ、位置決めされる様に構成されている（後述の図９参照）。
【００３１】
次に、シャフトピン２３をフランジ部材３２に挿通する際の、シャフトピン２３のアース機構について説明する。図７は、本実施形態にかかるドラムユニットにおけるシャフトピンをフランジ部材に挿通する前の状態を示す要部断面図であり、図８は、本実施形態にかかるドラムユニットにおけるシャフトピンがフランジ部材に挿通された状態を示す要部断面図である。また、図９は、本実施形態にかかるドラムユニットにおけるシャフトピンが、フランジ部材に挿通され、位置決めされた状態を示す要部断面図である。
【００３２】
図７に示す状態から、シャフトピン２３を、図中の矢印Ｘの方向へ移動させて、当該シャフトピン２３をフランジ部材３２に挿入する。そうすると、図８に示す様に、保護部材６１に設けられた突起部６３がシャフトピン２３の外周面２５と当接するため、保護部材６１が、フランジ部材３２の外周方向（即ち、図中の矢印Ｙの方向）へと移動するとともに、当該保護部材６１に係止されたアース板４０の接触片４６、４７も矢印Ｙの方向へ移動することになる。従って、保護部材６１と、当該保護部材に係止された接触片４６、４７がシャフトピン２３から退避することになるため、シャフトピン２３を挿通する際の、シャフトピン２３と接触片４６、４７の接触を回避することが可能になる。その結果、当該シャフトピン２３により、アース板４０に形成された接触片４６、４７が変形するのを防止することが可能になる。
【００３３】
次に、図８に示す状態から、シャフトピン２３を、図中の矢印Ｘの方向へ更に移動させると、上述のロック機構により、突起部６３が係止溝２４に係止され、シャフトピン２３が所定の位置にロックされて位置決めされ、図９に示す状態になる。そうすると、フランジ部材３２の外周方向（即ち、図中の矢印Ｙの方向）へと移動していた保護部材６１がフランジ部材３２の内周方向（即ち、図中の矢印Ｚの方向）へと移動するとともに、アース板４０の接触片４６、４７も当該内周方向へと移動することになり、接触片４６、４７がシャフトピン２３と接触することになる。
【００３４】
この様に、突起部６３が係止溝２４に係止されることにより、保護部材６１と接触片４６、４７の、シャフトピン２３からの退避状態が解除されるとともに、接触片４６、４７がシャフトピン２３と接触する構成としている。従って、アース板４０に形成された接触片４６、４７が変形することなく、シャフトピン２３のアースを良好に維持することが可能になる。
【００３５】
以上に説明したように、本実施形態においては、シャフトピン２３がフランジ部材３２に挿通される際に、接触片４６、４７を保護する保護部材６１を設ける構成としている。従って、シャフトピン２３をフランジ部材３２に挿通する際に、シャフトピン２３により、接触片４６、４７が変形するのを防止することができ、結果として、接触片４６、４７とシャフトピン２３の接触不良を回避できるとともに、シャフトピン２３のアースを良好に維持することが可能になる。
【００３６】
また、保護部材６１が、シャフトピン２３がフランジ部材３２に挿通される際に、接触片４６、４７をシャフトピン２３から退避させるための突起部６３を備える構成としており、突起部６３がシャフトピン２３の外周面と当接することにより、保護部材６１と保護部材６１に係止された接触片４６、４７の各々が、シャフトピン２３から退避する構成としている。従って、簡単な構成で、シャフトピン２３をフランジ部材３２に挿通する際の、当該シャフトピン２３による接触片４６、４７の変形を確実に防止すること可能になる。
【００３７】
また、シャフトピン２３に、突起部６３を係止するための係止溝２４を設ける構成としている。そして、突起部６３が係止溝２４に係止されることにより、シャフトピン２３に対する保護部材６１と接触片４６、４７の各々の退避状態が解除されるとともに、接触片４６、４７がシャフトピン２３と接触することにより、アース板４０とシャフトピン２３が電気的に接続される構成としている。従って、簡単な構成で、アース板４０とシャフトピン２３を電気的に接続させることが可能になり、結果として、シャフトピン２３のアースを確実に維持することが可能になる。
【００３８】
なお、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００３９】
例えば、上記実施形態においては、画像形成装置の一例として、デジタル複写機を示したが、ファクシミリやプリンタ等の他の画像形成装置であっても良いことは言うまでもない。
【産業上の利用可能性】
【００４０】
本発明の活用例としては、複写機、プリンタ装置、ファクシミリ装置等の画像形成装置に用いられる感光体ドラム用フランジが挙げられる。
【図面の簡単な説明】
【００４１】
【図１】本発明の実施形態に係る画像形成装置の全体構成を示す概略図である。
【図２】本発明の実施形態に係るドラムユニットの概略構成を説明するための斜視図である。
【図３】本発明の実施形態に係るドラムユニットにおけるフランジ部材の構成を説明するための正面図である。
【図４】図３のＡ−Ａ断面図である。
【図５】本発明の実施形態に係るドラムユニットにおけるアース板の構成を説明するための正面図である。
【図６】図５の側面図である。
【図７】本実施形態にかかるドラムユニットにおけるシャフトピンをフランジ部材に挿通する前の状態を示す要部断面図である。
【図８】本実施形態にかかるドラムユニットにおけるシャフトピンがフランジ部材に挿通された状態を示す要部断面図である。
【図９】は、本実施形態にかかるドラムユニットにおけるシャフトピンが、フランジ部材に挿通され、位置決めされた状態を示す要部断面図である。
【符号の説明】
【００４２】
１…画像形成装置、１ａ…装置本体、２…給紙部、３…用紙搬送部、４…画像形成部、５…定着部、６…画像読取部、１１…感光体ドラム、２２…ドラムユニット、２３…シャフトピン、２４…係止溝、２５…外周面、３１…ドラム本体、３２…フランジ部材、３３…開口部、３４…フランジ嵌合部、３５…支持孔、３６…突起、３７…突起、３８…当接部、３９…面取部、４０…アース板、４１…板状基材、４２…取付孔、４３…貫通孔、４４…爪部材、４５…凹部、４６…接触片、４７…接触片、４８…折曲部、４９…接触部、５０…折曲部、５１…接触部、５２…取付面、６０…内面、６１…保護部材、６２…孔部、６３…突起部
【図１】
2006154095.tif 000003
【図２】
2006154095.tif 000004
【図３】
2006154095.tif 000005
【図４】
2006154095.tif 000006
【図５】
2006154095.tif 000007
【図６】
2006154095.tif 000008
【図７】
2006154095.tif 000009
【図８】
2006154095.tif 000010
【図９】
2006154095.tif 000011